(57)【特許請求の範囲】
【請求項１】
自動車に装備された三点式のシートベルトの装着位置を補正するためのシートベルト用補助具であって、
前記自動車が備える座席シートの背凭れ部の上端にヘッドレストを連結してなる連結具に巻き掛けられた縦紐部と、
前記縦紐部の下端に吊り下げられて前記三点式シートベルトの装着金具よりも下側の下ベルト部を保持する下保持具と、
前記縦紐部の途中位置に取り付けられて前記三点式シートベルトの前記装着金具よりも上側の上ベルト部を保持する上保持具と、
前記縦紐部の途中位置に取り付けられてその取付位置を調節可能な調節金具と、を備え、
前記下保持具は、横方向を長手方向とする長尺状の筒状体と、前記筒状体の長手方向に沿って形成されたスリット状の開口部とを備え、前記開口部から前記シートベルトの前記下ベルト部を前記筒状体の内部に収容して保持可能であり、
前記上保持具は、筒状体と該筒状体の一部に形成されたスリット状の開口部とを備え、前記開口部から前記シートベルトの前記上ベルト部を前記筒状体の内部に収容可能であり、かつ、前記調節金具を介して前記縦紐部に取り付けられていることで前記縦紐部の長手方向の任意の位置で係止することが可能であり、
前記下保持具によって前記下ベルト部の装着位置が補正され、前記上保持具によって前記上ベルト部の装着位置が補正される
ことを特徴とするシートベルト用補助具。
【請求項２】
前記縦紐部は、その長手方向の両端が前記下保持具の両端又はその近傍にそれぞれ連結されており、
前記上保持具は、左右一対がそれぞれ左右の前記縦紐部に取り付けられている
ことを特徴とする請求項１に記載のシートベルト用補助具。
【請求項３】
前記下保持具の前記座席シート側の面に取り付けたクッション部材を備える
ことを特徴とする請求項１又は２に記載のシートベルト用補助具。
【発明の詳細な説明】
【技術分野】
【０００１】
本発明は、自動車に装備された三点式のシートベルトの装着位置を補正するためのシートベルト用補助具に関する。
【背景技術】
【０００２】
通常、自動車に装備された座席用のシートベルトは大人の体型に合うようなものとなっている。そのため、座高の低い幼児や低年齢の子供を座席に座らせる場合、自動車に装備されたシートベルトだけでは安定した座席への身体の保持ができず、万一の事故の際や、車に強い遠心力がかかった際などに幼児や子供の身体がシートベルトからすり抜けてしまうなどの危険があるという問題があった。【０００３】
このことへの対策として、現在、チャイルドシートが用いられている。チャイルドシートは、自動車の座席にシートベルトを用いて固定するもので、幼児又は子供を着席させたり寝かせたりすることできるように、椅子形あるいは舟形に形成されている。【０００４】
しかし、このチャイルドシートでは、シートベルトが保持するのはあくまでもチャイルドシート自体であって、幼児又は子供の身体はシートベルトによっては直接保持されない。しかもチャイルドシートの構造上、シートベルトが保持する部分はチャイルドシートの下辺部（下側の部分）に偏っている。そのため、急ブレーキをかけた際の慣性力やカーブ走行の際に働く強い遠心力が幼児又は子供の身体にかかってしまい、身体が前後左右に揺れて不安定になりやすい。【０００５】
自動車に装備されたシートベルトにはモータ駆動のプリテンショナー機構（自動車のブレーキ動作と連動して車体側にベルトを引き込む機構）が設けられている場合がある。しかしながら、上記のようにチャイルドシートを取り付けた場合は、このプリテンショナーの機能を子供に直接働かせることができず、場合によっては、急ブレーキをかけた際にチャイルドシートごと前のめりになってしまうこともあり得る。そのため、安全性の点においてチャイルドシートは完全でない。【０００６】
このような問題に加え、チャイルドシートを装着している間は、一人分の座席シートのほぼ全部をチャイルドシートが占有することとなる。そのため、幼児又は子供が乗車しない場合においても、そのままでは大人が乗車できないため、自動車の乗車定員が減ってしまい、車内の居住性を損ねるという問題がある。【０００７】
本願発明の発明者は、このような従来型チャイルドシートの問題点のうち、特に上記の車内の居住性を損ねる点に焦点を絞り、軽量タイプのチャイルドシートを発明し、特許出願をした（特許文献１）。この特許文献１に記載のチャイルドシートは、車のシートに基板を装着し、分離型の座席板を基板に施されたレールに接着するものである。これによってチャイルドシートによる専有部分を極端に縮小することができるので、後部座席に複数の子供を座らせることが可能となる。【０００８】
さらに本願発明の発明者は、居住性よりも安全性に主眼をおいた他の発明について特許出願を行った（特許文献２）。この特許文献２に記載の補助シートベルトは、自動車シートの背もたれ部分に取り付けが可能な取付部と、この取付部に取り付けられて装着者の右肩と左肩とにそれぞれ当接させることができる２本の装着用ベルトと、この２本の装着用ベルトの先端が取り付けられる接続部材とを備え、接続部材は、シートベルトのベルト部分に対して接続される第１接続手段と、シートベルトの受け部分に対して接続される第２接続手段とを備え、シートベルトにおける上記のベルト部分と受け部分とが上記の両接続手段を介して接続されるものである。【０００９】
すなわち、車のシートベルトの雄のバックルと雌のバックルとの間に子ども用のバックルを介在させるというものであり、これによって、車のシートベルトに備わっているアジャスタ機能を間接的に利用することができる。さらには、バックルに垂直方向のベルトを備えることにより４点式ベルト様にすることが可能となった。【００１０】
しかしながら、この特許文献２に記載の補助シートベルトは、車のシートベルトの雄のバックルと雌のバックルとの間に介在させるものであるため、部品点数が多く構造も複雑であり、その点において、更なる改良の余地があった。
【先行技術文献】
【特許文献】
【００１１】
【特許文献１】特開２００２−０１９５０２号公報
【特許文献２】特開２００８−１８９２２０号公報
【発明の概要】
【発明が解決しようとする課題】
【００１２】
本発明は上述の点に鑑みてなされたものであり、その目的は、部品点数を少なく抑えた簡単かつ安価な構成であり、かつ、同一の構成で種々の体型の装着者への装着が可能でありながら、自動車の万一の事故時に大きな衝撃が掛かった場合や、強い慣性力あるいは遠心力がかかった場合においても、装着者の身体を確実に自動車の座席に保持できるシートベルト用補助具を提供することを目的とする。
【課題を解決するための手段】
【００１３】
上記課題を解決するため、本発明にかかるシートベルト用補助具は、自動車に装備された三点式のシートベルト（１２０）の装着位置を補正するためのシートベルト用補助具（１）であって、自動車が備える座席シート（１００）の背凭れ部（１０１）の上端にヘッドレスト（１０２）を連結してなる連結具（１０３）に巻き掛けられた縦紐部（１０）と、縦紐部（１０）の下端に吊り下げられて三点式シートベルト（１２０）の装着金具（１２１）よりも下側の下ベルト部（１２２）を保持する下保持具（２０）と、縦紐部（１０）の途中位置に取り付けられて三点式シートベルト（１２０）の装着金具（１２１）よりも上側の上ベルト部（１２３）を保持する上保持具（３０）と、を備え、下保持具（２０）は、横方向を長手方向とする長尺状の筒状体（２１）と、筒状体（２１）の長手方向に沿って形成されたスリット状の開口部（２２）とを備え、開口部（２２）からシートベルト（１２０）の下ベルト部（１２２）を筒状体（２１）の内部に収容して保持可能であり、上保持具（３０）は、筒状体（３１）と該筒状体（３１）の一部に形成されたスリット状の開口部（３２）とを備え、開口部（３２）からシートベルト（１２０）の上ベルト部（１２３）を筒状体（３１）の内部に収容可能であり、下保持具（２０）によって下ベルト部（１２２）の装着位置が補正され、上保持具（３０）によって上ベルト部（１２３）の装着位置が補正されることを特徴とする。【００１４】
本発明にかかるシートベルト用補助具によれば、乗員の身体を座席シートに固定し保護するために、下保持具によって保持されたシートベルトの下ベルト部が乗員の骨盤（下腹部）を押さえる位置に配置され、上保持具によって保持されたシートベルトの上ベルト部が乗員の首にかからない位置（首よりも下の胸の位置）に配置されるようになる。
特に乗員が幼児や年齢の低い子供の場合には、通常の大人よりも座高が低いために、本発明のシートベルト用補助具を使わずにそのまま三点式シートベルトを装着すると、下ベルト部が骨盤を適正に保持できず、また、上ベルト部が首に食い込んでしまうこととなる。これに対して、本発明のシートベルト用補助具を使用すれば、下ベルト部と上ベルト部の装着位置が適正な位置に補正されるので、座高の低い幼児等であっても下ベルト部の位置が骨盤を適正に保持する位置に補正され、また、上ベルト部が首に食い込まない位置に配置されるようになる。したがって、幼児など座高が低い乗員でも車両に装着された三点式シートベルトを使用することが可能となる。【００１５】
また、ヘッドレスト用の連結具に吊り下げられた縦紐部が乗員の両脇の内側の胴体を保持する状態となることで、三点式シートベルトとこのシートベルト用補助具とでいわゆる四点ベルトのような四点支持の効果をもたらし、乗員をより確実に座席シートに保持することができる。したがって、シートベルトの安全性を効果的に高めることができる。【００１６】
また、本発明によれば、従来のチャイルドシートと比較して格段に簡単かつ安価な構成で幼児など座高の低い乗員を座席シートに保持することが可能なシートベルト用補助具を提供できる。また、車両に装着されたシートベルトで乗員を保持するので、乗員を間接的に保持するチャイルドシートと比較して高い安全性を確保することができる。【００１７】
また、上記のシートベルト用補助具では、縦紐部（１０）は、その長手方向の両端が下保持具（２０）の両端又はその近傍にそれぞれ連結されており、上保持具（３０）は、左右一対がそれぞれ左右の縦紐部（１０）に取り付けられていてよい。【００１８】
この構成によれば、左右一対の上保持具を備えることで、左座席と右座席の三点式シートベルトどちらに対しても装着が可能なシートベルト用補助具となる。すなわち、上ベルトが乗員の左上側から延びている三点式シートベルトに対しては、該上ベルトを左側の上保持具に通し、上ベルトが乗員の右上側から延びている三点式シートベルトに対しては、該上ベルトを右側の上保持具に通すようにする。【００１９】
また、上記のシートベルト用補助具では、前記縦紐部（１０）の途中位置に取り付けられてその取付位置を調節可能な調節金具（４５）を備え、上保持具（３０）は、調節金具（４５）を介して縦紐部（１０）に取り付けられていてよい。【００２０】
この構成によれば、調節金具に連動して上保持具の位置を調節できるので、上保持具の位置調節が簡単に行えるようになる。【００２１】
また、上記のシートベルト用補助具では、下保持具（２０）の座席シート（１００）側の面に取り付けたクッション部材を備えていてもよい。【００２２】
この構成によれば、クッション材の緩衝機能によって下保持具が当接する乗員の下腹部を保護することができる。【００２３】
なお、上記の括弧内の符号は、後述する実施形態における構成要素の符号を本発明の一例として示したものである。
【発明の効果】
【００２４】
本発明にかかるシートベルト用補助具によれば、部品点数を少なく抑えた簡単かつ安価な構成であり、かつ、同一の構成で種々の装着者への装着が可能でありながら、自動車の万一の事故時に大きな衝撃が掛かった場合や、強い慣性力あるいは遠心力がかかった場合においても、確実に装着者の身体を自動車の座席シートに保持できる。
【図面の簡単な説明】
【００２５】
【図１】本発明の第一実施形態にかかるシートベルト用補助具を示す図で、（ａ）は正面図、（ｂ）は、（ａ）のＡ−Ａ断面図である。
【図２】第一実施形態のシートベルト用補助具を用いて自動車のシートベルトを装着した状態を示す図である。
【図３】本発明の第二実施形態にかかるシートベルト用補助具を示す図で、（ａ）は正面図、（ｂ）は、（ａ）のＡ−Ａ断面図である。
【図４】第二実施形態のシートベルト用補助具を用いて自動車のシートベルトを装着した状態を示す図である。
【図５】本発明の第三実施形態にかかるシートベルト用補助具を示す図で、（ａ）は正面図、（ｂ）は、（ａ）のＡ−Ａ断面図である。
【図６】第三実施形態のシートベルト用補助具を用いて自動車のシートベルトを装着した状態を示す図である。
【発明を実施するための形態】
【００２６】
以下、添付図面を参照して本発明の実施形態を詳細に説明する。図１は、本発明の第一実施形態にかかるシートベルト用補助具１を示す図で、（ａ）は正面図、（ｂ）は、（ａ）のＡ−Ａ断面図である。また、図２は、第一実施形態のシートベルト用補助具１を用いて自動車に装備されたシートベルト１２０を身体に装着した状態を示す図である。これらの図に示すシートベルト用補助具１は、自動車に装備されたシートベルト（三点式シートベルト）１２０の装着位置を補正するための補助具であって、座席シート１００の背凭れ部１０１の上端にヘッドレスト１０２を連結してなる連結パイプ１０３に巻き掛けられた縦紐部１０と、縦紐部１０の下端に吊り下げられて三点式シートベルト１２０のバックル（装着金具）１２１よりも下側の下ベルト部１２２を保持する下保持具２０と、縦紐部１０の途中位置に取り付けられて三点式シートベルト１２０の装着金具１２１よりも上側の上ベルト部１２３を保持する上保持具３０とを備えている。
【００２７】
なお、以下の説明における上下左右の表現に関しては、図２に示したようにシートベルト用補助具１を座席シート１００に取り付けて、座席シート１００の正面側から見た場合の方向を基準としている。
【００２８】
シートベルト補助具１の縦紐部１０は、柔軟性を有する布材などで構成された部材で、所定幅の帯状に形成されている。そして、その中間部分がヘッドレスト１０２の連結パイプ１０３に巻き掛けられて逆向き略Ｕ型に吊り下げられており、一端が下保持具２０の一端近傍に縫い付けなどによって直接取り付けられており、他端が下保持具２０の他端近傍に取付金具４１を介して取り付けられている。取付金具４１は縦紐部１０を挿通可能な枠部４１ａを有している。縦紐部１０の先端は、取付金具４１の枠部４１ａに挿通されてループ状に折り返されてその上側に取り付けた調節金具４３に係止されている。取付金具４１は枠部４１ａに挿通した縦紐部１０の位置を自在に変更が可能であり、調節金具４３は縦紐部１０の先端１０ａの固定位置を調節できる。これらに取付金具４１と調節金具４３によって、縦紐部１０で下保持具２０を吊り下げる位置（高さ位置）を任意に調節することが可能である。
【００２９】
下保持具２０は、横方向（左右方向）を長手方向とする長尺状の筒状体２１と、筒状体２１の長手方向に沿って形成されたスリット部（開口部）２２とを備え、スリット部２２からシートベルト１２０の下ベルト部１２２を筒状体２１の内部に収容して保持することが可能である。下保持具２０は、縦紐部１０の先端（下端）に取り付けられた後板部２１ｂと、該後板部２１ｂの上側で折り返されてその前側に垂下している前板部２１ａと、後板部２１ｂの下側で折り返されて前板部２１ａに沿って上向きに延伸している下板部２１ｃとを一体に有して構成されている。
【００３０】
また、下保持具２０は、スリット部２２を開閉可能な程度の柔軟性（可撓性）を有しかつある程度の引張荷重にも耐えられる強度（強靭性）を有する材質で構成されていればよく、例えば、デニム材などの布材や可撓性を有する合成樹脂材などで形成することができる。また、スリット部２２には、面ファスナー（止め具）２３を設けている。この面ファスナー２３を止めることで筒状体２１の内部に保持した下ベルト部１２２が落下することを防止できる。なお、図示は省略するが、面ファスナー２３に代えてスナップ又は釦などの止め具を設けてもよい。
【００３１】
上保持具３０は、縦紐部１０の幅と略同寸法の長さを有する筒状体（環状体）３１と該筒状体３１の外周における軸方向に沿って形成されたスリット部（開口部）３２とを備え、スリット部３２からシートベルト１２０の上ベルト部１２３を筒状体３１の内部に収容可能である。上保持具３０の筒状体３１は、縦紐部１０（調節金具４５）に取り付けられた後板部３１ｂと、該後板部３１ｂの上側で折り返されてその前側に垂下している前板部３１ａと、後板部３１ｂの下側で折り返されて前板部３１ａに沿って上向きに延伸している下板部３１ｃとを一体に有して構成されている。
【００３２】
また、上保持具３０は、下保持具２０と同様、スリット部３２を開閉可能な程度の柔軟性（可撓性）を有しかつある程度の引張荷重にも耐えられる強度を有する材質で構成されていればよく、例えば、デニム材などの布材や可撓性を有する合成樹脂材などで形成することができる。また、スリット部３２には、面ファスナー（止め具）３３を設けている。この面ファスナー３３を止めることで筒状体３１の内部に保持した上ベルト部１２３が落下することを防止できる。なお、図示は省略するが、面ファスナー３３に代えてスナップ又は釦などの止め具を設けてもよい。
【００３３】
また、縦紐部１０における調節金具４３よりも上側の位置には、他の調節金具４５が取り付けられている。そして、上保持具３０は、この調節金具４５を介して縦紐部１０に取り付けられている。すなわち、調節金具４５は、縦紐部１０を挿通する枠部４５ａを有し、この枠部４５ａに挿通した縦紐部１０に対して任意の位置で係止することができるようになっている。そして、上保持具３０は、その後板部３１ｂが調節金具４５の前面側に取り付けられている。
【００３４】
次に、図２を参照して、上記構成のシートベルト用補助具１の使用方法を説明する。このシートベルト用補助具１を使用するには、まず、縦紐部１０の中間部分をヘッドレスト１０２の連結パイプ１０３に引っ掛けて吊り下げた状態とする。座席シート１００に幼児が座る場合は、幼児の身体の前に下保持具がくるようにし、その上からシートベルト１２０を装着する。そして、シートベルト１２０の上ベルト部１２３をシートベルト用補助具１の上保持具３０によって保持し、シートベルト１２０の下ベルト部１２２をシートベルト用補助具１の下保持具２０によって保持する。上保持具３０と下保持具２０は、シートベルト１２０を内部に収容した状態で面ファスナー２３,３３によってスリット部２２,３２を閉じることで簡単かつ確実にシートベルト１２０の上ベルト部１２３と下ベルト部１２２を保持することができる。
【００３５】
本実施形態のシートベルト用補助具１によれば、下保持具２０によって保持されたシートベルト１２０の下ベルト部１２２が乗員Ｈの骨盤（下腹部）を押さえる位置に配置され、上保持具３０によって保持されたシートベルト１２０の上ベルト部１２３が乗員Ｈの首にかからない位置（首よりも下の胸の位置）に配置されるようになる。
【００３６】
特に乗員Ｈが幼児や年齢の低い子供の場合には、通常の大人よりも座高が低いために、本実施形態のシートベルト用補助具１を使わずにそのまま三点式のシートベルト１２０を装着すると、下ベルト部１２２が乗員Ｈの骨盤を適正に保持できず、また、上ベルト部１２３が首に食い込んでしまうこととなる。これに対して、本実施形態のシートベルト用補助具１を使用すれば、シートベルト１２０の下ベルト部１２２と上ベルト部１２３の装着位置が適正な位置に補正されるので、乗員Ｈが座高の低い幼児等であっても下ベルト部１２２の装着位置が骨盤を適正に保持する位置に補正され、また、上ベルト部１２３が首に食い込まない位置に配置されるようになる。したがって、幼児など座高が低い乗員Ｈでも自動車に装備された三点式シートベルト１２０を使用することが可能となる。
【００３７】
また、ヘッドレスト１０２用の連結具１０３に吊り下げられた縦紐部１０が乗員Ｈの両脇の内側の胴体を保持する状態となることで、三点式シートベルト１２０とシートベルト用補助具１とでいわゆる四点ベルトのような四点支持の効果をもたらし、乗員Ｈをより確実に座席シート１００に保持することができる。したがって、シートベルト１２０の安全性を効果的に高めることができる。
【００３８】
また、本実施形態のシートベルト用補助具１によれば、従来のチャイルドシートと比較して格段に簡単かつ安価な構成で、幼児など座高の低い乗員Ｈを座席シート１００に保持することが可能なシートベルト用補助具１を提供できる。また、自動車に装着されたシートベルト１２０で乗員Ｈを保持するので、乗員を間接的に保持するチャイルドシートと比較して高い安全性を確保することができる。
【００３９】
また、このシートベルト用補助具１では、縦紐部１０は、その長手方向の両端が下保持具２０の両端又はその近傍にそれぞれ連結されている。そして、上保持具３０は、左右一対がそれぞれ左右の縦紐部１０に取り付けられている。この構成によれば、左右一対の上保持具３０を備えることで、左座席と右座席の三点式シートベルトどちらに対しても装着が可能なシートベルト用補助具１となる。すなわち、上ベルトが乗員の左上側から延びている三点式シートベルトに対しては、該上ベルトを左側の上保持具３０に通し、上ベルトが乗員の右上側から延びている三点式シートベルトに対しては、該上ベルトを右側の上保持具３０に通すようにする。
【００４０】
〔第二実施形態〕
次に、本発明の第二実施形態にかかるシートベルト用補助具について説明する。なお、第二実施形態の説明及び対応する図面においては、第一実施形態と同一又は相当する構成部分には同一の符号を付し、以下ではその部分の詳細な説明は省略する。また、以下で説明する事項以外の事項、および図示する以外の事項については、第一実施形態と同じである。
【００４１】
図３は、本発明の第二実施形態にかかるシートベルト用補助具１−２を示す図で、（ａ）は、正面図、（ｂ）は、（ａ）のＡ−Ａ断面図である。また図４は、第二実施形態のシートベルト用補助具１−２を用いて自動車のシートベルト１２０を装着した状態を示す図である。本実施形態のシートベルト用補助具１−２は、その基本的な構造は第一実施形態のシートベルト用補助具１と共通であるが、各部の寸法を乳幼児用に好適な寸法に設定している。
【００４２】
具体的には、縦紐部１０の長さの設定により下保持具２０の高さ位置を乳幼児Ｈ２の腰の位置となるようにしている。また、上保持具３０はシートベルト１２０の上ベルト部１２３が乳幼児の首にかならない位置となるように設定している。
【００４３】
また、本実施形態のシートベルト用補助具１−２では、縦紐部１０及び下保持部２０の後側の面に緩衝作用を有するクッション部材５０を装着している。クッション部材５０は、布材を袋状にしてその内部に中綿を詰めたものものなどであってよい。クッション部材５０は、乳幼児の胴体のほぼ全体を覆うことができる程度の寸法とする。
【００４４】
自動車に装備されているシートベルト１２０をそのまま乳幼児が装着すると、身体が極端に小さいことで下ベルト部１２２が腰にかからず不安定かつ危険な状態になってしまい、また、上ベルト部１２３が首にかかって危険な常態になってしまうことや、身体をホールドできずすり抜けてしまうおそれが高いなどの問題がある。これに対して、本実施形態のシートベルト用補助具１−２を用いてシートベルト１２０を装着すれば、図４に示すように、乳幼児Ｈ２にとって適正かつ安全な位置にシートベルト１２０の装着位置を補正することができると共に、クッション部材５０を介在させていることによって乳幼児Ｈ２の身体を確実にホールドすることができるようになる。したがって、シートベルト１２０の装着性及び安全性を高めることができる。
【００４５】
〔第三実施形態〕
次に、本発明の第三実施形態にかかるシートベルト用補助具について説明する。図５は、本発明の第三実施形態にかかるシートベルト用補助具１−３を示す図で、（ａ）は、正面図、（ｂ）は、（ａ）のＡ−Ａ断面図である。また図６は、第三実施形態のシートベルト用補助具１−３を用いて自動車のシートベルト１２０を妊婦Ｈ３に装着した状態を示す図である。本実施形態のシートベルト用補助具１−３は、その基本的な構造は第一実施形態のシートベルト用補助具１と共通であるが、各部の寸法を妊婦用に適した寸法としたものである。
【００４６】
具体的には、縦紐部１０の長さの設定により下保持部２０の高さ位置を妊婦Ｈ３の腹部Ｍの上側の位置となるようにしている。また、上保持具３０はシートベルト１２０の上ベルト部１２３が妊婦Ｈ３の首にかならない位置となるように設定している。自動車に装備されているシートベルト１２０をそのまま妊婦が装着すると、下ベルト部１２２が腹部にかかり不安定かつ危険な状態になってしまうところ、本実施形態のシートベルト用補助具１−３を用いてシートベルト１２０を装着すれば、妊婦Ｈ３にとって適正かつ安全な位置にシートベルト１２０の装着位置を補正することができるので、シートベルト１２０の装着性及び安全性を高めることができる。
【００４７】
また、本実施形態のシートベルト用補助具１−３では、下保持部２０の後側の面に緩衝作用を有するクッション部材５０を装着している。クッション部材５０は、妊婦Ｈ３の腹部Ｍの上部に当接する位置に配置されて、腹部Ｍの上部への負担を緩和するように機能する。
【００４８】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態に示すシートベルト用補助具の材質や細部の具体的な形状・構成は一例であり、本発明にかかるシートベルト用補助具の各部及び構成部品は、上記以外の材質で、形状等であってもよい。
【図１】
0006643463.tif 000002
【図２】
0006643463.tif 000003
【図３】
0006643463.tif 000004
【図４】
0006643463.tif 000005
【図５】
0006643463.tif 000006
【図６】
0006643463.tif 000007